(57)【要約】【課題】戸建の住宅に入居している建主等の入居者が、容易に、且つ、継続して、当該住宅に対する関心を維持することができるような住宅情報表示システムを提供する。【解決手段】住宅１０に関する情報を備えたセンター３と、該センター３と情報の送受信が可能に接続されると共に住宅１０に設置された親機１とで少なくとも構成される住宅情報表示システムを、センター３の家誕生日判断手段により、住宅１０が家誕生日であると判断されると、センター３の築年月日数演算手段により演算された築年数と共に、家誕生日であることを表す情報が、センター３から親機１に送信され、該親機１がこれを受信して表示するようにして、構成する。【選択図】図１
2010033219.tif 000002
【特許請求の範囲】
【請求項１】
住宅に関する情報を備えたセンター、及び、該センターと情報の送受信が可能に接続されると共に前記住宅に設置される住宅情報表示装置で少なくとも構成される住宅情報表示システムであって、
前記住宅情報表示装置は、毎日、当該本日の年月日を表示画面に表示する表示手段を備えており、
前記センターは、
前記住宅の建築完成時の年月日を記憶する記憶手段と、
前記記憶手段が記憶する前記建築完成時の年月日、及び、前記当該本日の年月日に基づいて、築年月日数を演算する築年月日数演算手段と、
前記当該本日の年月日における月日が、前記建築完成時の年月日における月日と比較して一致すると、家誕生日と判断する家誕生日判断手段と、を備えており、
前記家誕生日判断手段が前記家誕生日と判断すると、前記築年月日数演算手段が演算した前記築年月日数における築年数と共に、前記家誕生日であることを表す情報を、前記住宅情報表示装置に送信し、
前記住宅情報表示装置の前記表示手段は、送信された前記築年数、及び、前記家誕生日であることを表す情報を、前記表示手段に表示することを特徴とする住宅情報表示システム。
【請求項２】
請求項１記載の住宅情報表示システムにおいて、
前記住宅情報表示装置は、
前記築年月日数の表示を指示するための指示入力手段を備えており、
該指示入力手段により前記築年月日数の表示を指示されると、前記センターに対して前記築年月日数を送信するように要求し、
前記センターは、前記築年月日数演算手段が演算した前記築年月日数を、前記住宅情報表示装置に送信し、
前記住宅情報表示装置の前記表示手段は、送信された前記築年月日数を、前記表示手段に表示する住宅情報表示システム。
【請求項３】
住宅に関する情報を備えると共に前記住宅に設置される住宅情報表示装置で少なくとも構成される住宅情報表示システムであって、
前記住宅情報表示装置は、
前記住宅の建築完成時の年月日を記憶する記憶手段と、
毎日、当該本日の年月日を表示画面に表示する表示手段と、
前記記憶手段が記憶する前記建築完成時の年月日、及び、前記当該本日の年月日に基づいて、築年月日数を演算する築年月日数演算手段と、
前記当該本日の年月日における月日が、前記建築完成時の年月日における月日と比較して一致すると、家誕生日と判断する家誕生日判断手段と、を備えており、
前記表示手段は、前記家誕生日判断手段が前記家誕生日と判断すると、前記築年月日数演算手段が演算した前記築年月日数における築年数と共に、前記家誕生日であることを表す情報を、前記表示手段に表示することを特徴とする住宅情報表示システム。
【請求項４】
請求項３記載の住宅情報表示システムにおいて、
前記住宅情報表示装置は、前記築年月日数の表示を指示するための指示入力手段を備えており、
前記表示手段は、前記指示入力手段により前記築年月日数の表示を指示されると、前記築年月日数演算手段が演算した前記築年月日数を、前記表示手段に表示する住宅情報表示システム。
【請求項５】
請求項１〜４のいずれか１項に記載の住宅情報表示システムにおいて、
前記住宅は、親機と子機とで構成されるインターホンを備えており、
前記住宅情報表示装置は、前記親機に含まれる住宅情報表示システム。
【請求項６】
請求項１〜４のいずれか１項に記載の住宅情報表示システムにおいて、
前記住宅情報表示装置は、インターホン機能における親機の機能を備えていると共に、
前記住宅は、前記インターホン機能における子機の機能を有する子機を備えている住宅情報表示システム。
【発明の詳細な説明】
【技術分野】
【０００１】
本発明は、住宅に設置される住宅情報表示システムに関する。
【背景技術】
【０００２】
戸建住宅の居住者は、居住している住宅で快適な生活ができるようにするために、住宅をよい状態で維持管理しようと願っている。しかし、居住している住宅に対する関心を日ごろから維持するのは、忙しい現代人にとって、困難なことも多く、住宅に対する関心は希薄となってしまうことが多い。
【０００３】
一般に、住宅をよい状態で維持管理するには、築年数が１つの重要なポイントであり、居住者がこの築年数を把握することが、重要な要素となる。しかし、住宅の居住者が、当該住宅の築年数を知ろうとすると、例えば、不動産の登記簿を閲覧するか、或いは、当該住宅の建築関連書類を捜す等する必要があるが、いずれも、容易に行えるとはいいがたい。又、新築の住宅に居住した場合であっても、年月の経過により、上述したように住宅に対する関心が希薄となってしまう状態となりやすい。
【０００４】
一方、住宅を建築した住宅メーカー等においても、住宅の居住者に対して、住宅をできるだけよい状態で維持管理するようにするためには、居住者の住宅に対する関心を維持する必要がある。そのため、住宅メーカーは、居住者とのコミュニケーションを図る努力がなされている。
【０００５】
特に、最近では、住宅の耐用年数が向上しており、２００年住宅のような超長期住宅等も建築されようとしている。このような超長期住宅等では、住宅の耐用年数の維持を図る上で、住宅に対する維持管理は、非常に重要であり、そのため、住宅メーカーとしては、必要な時期に最適なメンテナンスを提供することが、重要な役割であると認識されている。このような必要な時期に最適なメンテナンスを行うようにするためには、上述したように、居住者と住宅メーカーとの日ごろのコミュニケーションを図ることが重要である。
【０００６】
そこで、このようなコミュニケーションを図る対策の一環として、上述した住宅の居住者に対して、居住している当該住宅に対して関心を払ってもらえるような対策であって、且つ、当該住宅を建築した住宅メーカー等においても、対策にかかるコストの観点から、負担の少ない対策が模索されている（例えば、特許文献１参照）。
【０００７】
特許文献１は、住宅を建築した住宅メーカーが作成する当該住宅に関するコンテンツを含んだＤＶＤに関するものである。このＤＶＤには、当該住宅の建物の外装や内部の詳細、建築前後の家族の写真、建築途中で行われる各種の確認検査状況やその検査証等のほか、当該住宅メーカーのインターネットのＵＲＬ情報や営業担当者の名前等が記録されている。
【０００８】
住宅メーカーは、このＤＶＤを製作するには、一時的にコストがかかるものの、上記の特許文献１によると、このＤＶＤを住宅の建主に渡すことにより、住宅メーカーと建主との相互の信頼関係を、長期にわたって維持しようとするものである。
【特許文献１】特開２００７−１５６９８４号公報
【発明の開示】
【発明が解決しようとする課題】
【０００９】
上述した住宅の居住者とのコミュニケーションを図る対策に関し、上記の特許文献１のＤＶＤを、住宅メーカーが住宅の建主に渡す方法は、建主が当該住宅に関する多くの情報を居住の際に得られるという点では、確かに、優れた方法である。
【００１０】
しかし、住宅メーカーは、上記のＤＶＤを、一旦、建主に渡してしまった後は、何等のアクションも行わない限り、そのままでは、住宅メーカーの建主に対するかかわりは、年月の経過と共に、薄れてしまう。
【００１１】
又、建主としても、住宅メーカーからＤＶＤを渡された当所は、ＤＶＤを見るとしても、このＤＶＤを見ない限り、当該住宅に対する関心は喚起されなくなるのが、通常である。そのため、一般的には、年月の経過と共に上記のＤＶＤを見なくなり、当該住宅に対する関心は次第に希薄となってしまうといわざるを得ない。
【００１２】
そのため、住宅を建築した住宅メーカーが、コストの観点から負担とならず、しかも、住宅の居住者が、容易に、且つ、継続して、当該住宅に対する関心を維持することができると共に、居住者の当該住宅に対するこの関心を媒介として、住宅メーカーの当該住宅に対するかかわりを維持することが可能なシステムが、要望されている。
【００１３】
そこで、この発明は、このような状況に対処するためになされたものであって、戸建住宅の居住者が、容易に、且つ、継続して、当該住宅に対する関心を維持することができると共に、居住者の当該住宅に対するこの関心を媒介として、住宅メーカーの当該住宅に対するかかわりを維持することが可能で、コスト面からも負担の少ない住宅情報表示システムを提供しようとするものである。
【課題を解決するための手段】
【００１４】
本発明の第１の住宅情報表示システムは、住宅に関する情報を備えたセンター、及び、該センターと情報の送受信が可能に接続されると共に住宅に設置される住宅情報表示装置で、少なくとも構成される。
【００１５】
上記の第１の住宅情報表示システムにおいて、住宅情報表示装置は、毎日、当該本日の年月日を表示画面に表示する表示手段を備えている。又、センターは、住宅の建築完成時の年月日を記憶する記憶手段と、該記憶手段が記憶する建築完成時の年月日、及び、当該本日の年月日に基づいて、築年月日数を演算する築年月日数演算手段と、当該本日の年月日における月日が、建築完成時の年月日における月日と比較して一致すると、家誕生日と判断する家誕生日判断手段とを備えている。
【００１６】
上記の第１の住宅情報表示システムでは、センターの家誕生日判断手段が家誕生日と判断すると、築年月日数演算手段が演算した築年月日数における築年数と共に、家誕生日であることを表す情報を、住宅情報表示装置に送信する。すると、住宅情報表示装置の表示手段は、送信された築年数、及び、家誕生日であることを表す情報を、表示手段に表示することを特徴としている。
【００１７】
上記の第１の住宅情報表示システムによれば、家誕生日の当日には、家誕生日であることを表す情報が、築年数と共に、親機の表示手段の表示画面に表示される。そのため、家誕生日に、家誕生日であること、及び、築年数を、容易に知ることができる。従って、戸建住宅の居住者が、容易に、且つ、継続して、当該住宅に対する関心を維持することができると共に、居住者の当該住宅に対するこの関心を媒介として、住宅メーカーの当該住宅に対するかかわりを維持することができる。
【００１８】
上記の住宅情報表示システムにおいて、次のようにしてもよい。即ち、上記の第１の住宅情報表示システムの住宅情報表示装置に、築年月日数の表示を指示するための指示入力手段を備えるようにする。
【００１９】
この場合、住宅情報表示装置は、該指示入力手段により築年月日数の表示を指示されると、センターに対して築年月日数を送信するように要求する。すると、センターは、築年月日数演算手段が演算した築年月日数を、住宅情報表示装置に送信する。そこで、住宅情報表示装置の表示手段は、送信された築年月日数を、表示画面に表示する。
【００２０】
このようにすることにより、指示入力手段により築年月日数の表示を指示するための入力を行うことで、当該日における築年月日数を、容易に知ることができる。従って、戸建住宅の居住者が、容易に、且つ、継続して、当該住宅に対する関心を維持することができると共に、居住者の当該住宅に対するこの関心を媒介として、住宅メーカーの当該住宅に対するかかわりを維持することができる。
【００２１】
本発明の第２の住宅情報表示システムは、住宅に関する情報を備えると共に住宅に設置される住宅情報表示装置で少なくとも構成される住宅情報表示システムである。
【００２２】
上記の第２の住宅情報表示システムでは、住宅情報表示装置は、住宅の建築完成時の年月日を記憶する記憶手段と、毎日、当該本日の年月日を表示画面に表示する表示手段と、記憶手段が記憶する建築完成時の年月日、及び、当該本日の年月日に基づいて、築年月日数を演算する築年月日数演算手段と、当該本日の年月日における月日が、建築完成時の年月日における月日と比較して一致すると、家誕生日と判断する家誕生日判断手段とを備えている。
【００２３】
上記の第２の住宅情報表示システムでは、表示手段は、家誕生日判断手段が家誕生日と判断すると、築年月日数演算手段が演算した築年月日数における築年数と共に、家誕生日であることを表す情報を、表示手段に表示することを特徴としている。
【００２４】
上記の第２の住宅情報表示システムによれば、家誕生日の当日には、家誕生日であることを表す情報が、築年数と共に、表示画面に表示される。そのため、家誕生日に、家誕生日であること、及び、築年数を、容易に知ることができる。従って、戸建住宅の居住者が、容易に、且つ、継続して、当該住宅に対する関心を維持することができると共に、居住者の当該住宅に対するこの関心を媒介として、住宅メーカーの当該住宅に対するかかわりを維持することができる。
【００２５】
上記の第２の住宅情報表示システムにおいて、次のようにしてもよい。即ち、上記の第２の住宅情報表示システムの住宅情報表示装置に、築年月日数の表示を指示するための指示入力手段を備えるようにする。この場合、上記の表示手段は、指示入力手段により築年月日数の表示を指示されると、築年月日数演算手段が演算した築年月日数を、表示画面に表示する。
【００２６】
このようにすることにより、指示入力手段により築年月日数の表示を指示するための入力を行うことで、当該日における築年月日数を、容易に知ることができる。従って、戸建住宅の居住者が、容易に、且つ、継続して、当該住宅に対する関心を維持することができると共に、居住者の当該住宅に対するこの関心を媒介として、住宅メーカーの当該住宅に対するかかわりを維持することができる。
【００２７】
又、上記の第１の住宅情報表示システム、又は、第２の住宅情報表示システムを、次のように構築してもよい。即ち、上記の住宅情報表示装置が、親機と子機とで構成されるインターホンの当該親機に含まれるように、上記の第１の住宅情報表示システム、又は、第２の住宅情報表示システムを構成すると共に、住宅が、これらの親機と子機を備えるようにするのである。
【００２８】
一般に、戸建住宅には、来訪者に対応するため、通常、インターホンが設置されている。仮に、戸建住宅に、このインターホンが設置されていないと、来訪者が来訪する度に、いちいち玄関先に出る必要がある等、非常に煩雑で日常生活に支障を来たすことになることから、現在では、戸建住宅には、インターホンは、必要不可欠の存在となっている。
【００２９】
このインターホンは、ドアホンとも呼ばれるもので、親機と、この親機に接続された玄関子機とで構成され、来訪者が、玄関子機から呼出しを行うことにより、玄関子機と親機との間で、会話が行えるものである。
【００３０】
特に、最近のインターホンでは、玄関子機にカメラが備えられていると共に、親機にＬＣＤ等で構成された表示画面を有する表示装置が備えられているものが多い。このようなインターホンでは、呼出しや画面表示の制御等を行うために、マイクロプロセッサ等を搭載して、ソフトウエアにより制御されるものが、多く存在する。
【００３１】
そこで、上記の第１の住宅情報表示システム、或いは、第２の住宅情報表示システムにおける住宅情報表示装置を、戸建住宅に設置が不可欠なインターホンの親機に含まれるようにすることで、設置スペースやコスト面から、有利な住宅情報表示システムを構築することができる。
【００３２】
或いは、上記の第１の住宅情報表示システム、又は、第２の住宅情報表示システムを、次のように構築するようにしてもよい。即ち、上記の住宅情報表示装置に、インターホンの親機の機能を備えると共に、上記の住宅に、インターホン機能における子機の機能を有する子機を備えるのである。このようにすることで、上記と同様、設置スペースやコスト面から、有利な住宅情報表示システムを構築することができる。
【発明の効果】
【００３３】
本発明の住宅情報表示システムによれば、家誕生日の当日には、家誕生日であることを表す情報が、築年数と共に、住宅情報表示装置の表示手段の表示画面に表示される。そのため、家誕生日に、家誕生日であること、及び、築年数を、容易に知ることができる。
【００３４】
従って、戸建住宅の居住者が、容易に、且つ、継続して、当該住宅に対する関心を維持することができると共に、居住者の当該住宅に対するこの関心を媒介として、住宅メーカーの当該住宅に対するかかわりを維持することができる。
【発明を実施するための最良の形態】
【００３５】
次に、本発明の実施の形態における住宅情報表示システムについて図面に基づき、詳細に説明する。図１は、本実施の形態における住宅情報表示システムの構成を示したブロック図である。図１において、本実施の形態における住宅情報表示システムは、住宅１０に設置された親機１及び玄関子機２と、センター３と、このセンター３と親機１とを接続するインターネット４とで構成されている。
【００３６】
図２は、上記の親機１の構成を示したブロック図である。図２において、親機１は、ＣＰＵ１１、メモリ１２、表示部１３、タッチパネル１４、送受話部１５、内部Ｉ／Ｆ１６、及び、外部Ｉ／Ｆ１７で構成されている。これらは、内部バスライン１８で相互に接続されている。
【００３７】
この内、ＣＰＵ１１は、マイクロプロセッサーで構成されている。このＣＰＵ１１には、時計機能が備えられており、この時計機能により、時刻を出力することができる。この時刻は、表示部１３に表示される。
【００３８】
メモリ１２は、フラッシュメモリ構成されており、ＯＳや各種プログラム等のソフトウエアが搭載されている。ＣＰＵ１１は、これらのソフトウエアにより動作する。このメモリ１２は、ＣＰＵ１１のワーキングエリアとしても用いられる。
【００３９】
表示部１３は、ＬＣＤ等で構成されており、上記の住宅情報表示システムの親機１における各種の情報等の表示に用いられる。タッチパネル１４は、表示部１３に重ねて設置されており、表示部１３に表示されるスイッチマークと重なるタッチパネルの部分に、指等で触れることにより入力を行うのに用いられる。
【００４０】
送受話部１５は、マイクロホンとスピーカとで構成されており、玄関子機２との通話に用いられる。内部Ｉ／Ｆ１６は、玄関子機２と接続するのに用いられる。そして、外部Ｉ／Ｆ１７は、インターネット４に接続するのに用いられる。
【００４１】
玄関子機２には、押しボタンスイッチ、マイクロホン、スピーカ、カメラ、及び、親機１との接続用Ｉ／Ｆが備えられており、これらを用いることで、玄関子機２と親機１との間におけるインターホンの機能を、実現している。
【００４２】
即ち、住宅１０の来訪者が、玄関子機２の押しボタンスイッチを押すことにより、カメラの映像が親機１の表示部１３に表示されると共に、マイクロホン、及び、スピーカにより、親機１の送受話部１５との間で、通話を行う。
【００４３】
上記の親機１において、インターホンの機能に関連する部分を除いた部分が、前述の住宅情報表示装置に相当する。
【００４４】
図３は、上記のセンター３の構成を示したブロック図である。図３において、センター３は、ＣＰＵ３１、ＨＤＤ３２、メモリ３３、表示部３４、入力部３５、及び、外部Ｉ／Ｆ３６で構成されている。これらは、内部バスライン３７で相互に接続されている。
【００４５】
この内、ＣＰＵ３１は、マイクロプロセッサーで構成されている。このＣＰＵ３１には、時計機能が備えられており、この時計機能により、時刻を出力することができる。この時刻の出力は、ＣＰＵ３１が行う各種の処理に用いられる。
【００４６】
ＨＤＤ３２は、ＯＳや各種プログラム等のソフトウエアが搭載されている。このＨＤＤ３２は、ＨＤＤ（Hard Disk Drive）には限られず、ＳＳＤ（Solid State Drive）や半導体メモリを用いてもよい。ＣＰＵ３１は、これらのソフトウエアにより動作する。メモリ３３は、フラッシュメモリ等で構成されており、ＣＰＵ１１のワーキングエリアとして用いられる。
【００４７】
表示部３４は、ＬＣＤ等で構成されており、上記の住宅情報表示システムの親機１における各種の情報等の表示に用いられる。入力部３５は、キーボードやマウス等で構成されており、各種情報等の入力を行うのに用いられる。そして、外部Ｉ／Ｆ３６は、インターネット４に接続するのに用いられる。
【００４８】
上記の住宅情報表示システムでは、親機１及び玄関子機２が備えられている住宅１０が建築された建築完成年月日における月日と同じ月日を、家誕生日と称する。そして、この家誕生日の当該当日には、家誕生日であることを示す情報を築年数と共に、住宅１０に備えられた親機１の表示部１３に表示する機能を備えている。この機能を、家誕生日表示機能と称する。
【００４９】
又、上記の家誕生日のほか、上記の住宅情報表示システムでは、住宅１０が建築された建築完成年月日における日と同じ日を、家建築同一日と称すると共に、当該当日には、家建築同一日であることを示す情報を築年月数と共に、住宅１０に備えられた親機１の表示部１３に表示する機能を備えている。この機能を、家建築同一日表示機能と称する。
【００５０】
この家建築同一日表示機能が設けられているのは、居住者が、容易に、且つ、継続して、当該住宅に対する関心を維持するようにするために、できるだけ多くの機会を設けるようにするためである。
【００５１】
上記の家誕生日又は家建築同一日以外の日には、親機１の表示部１３に、住宅１０の築年月日数を表示させるためのスイッチマークである築年月日数表示指示スイッチ（ＳＷ）を表示部１３に表示する。このスイッチマークである築年月日数表示指示スイッチ（ＳＷ）に指等で触れると、住宅１０の築年月日数の演算が行われて、親機１の表示部１３に表示される機能を備えている。この機能を、築年月日数表示機能と称する。
【００５２】
上記の説明における築年数とは、建築年月日からの経過年数であり、築年月数とは、建築年月日からの経過年数と端数の経過月数であり、そして、築年月日数とは、建築年月日からの経過年数と、端数の経過月数、及び、端数の経過日数である。
【００５３】
上記の住宅情報表示システムでは、上記の家誕生日表示機能、家建築同一日表示機能、及び、築年月日数表示機能を実現するのに、親機１とセンター３とを用いた住宅情報表示Ａシステム（前述の第１の住宅情報表示システムに該当）と、親機１のみを用いる住宅情報表示Ｂシステム（前述の第２の住宅情報表示システムに該当）の２つの方式を用意している。そこで、最初に、住宅情報表示Ａシステムについて説明した後、住宅情報表示Ｂシステムについて説明する。
【００５４】
まず、住宅情報表示Ａシステムについて説明する。この住宅情報表示Ａシステムを実現するための情報として、センター３には、センター３のメモリ３３に、図４（ａ）に示す、建築完成年月日記録エリア（ＫＥ）、図４（ｂ）に示す、築年月日数記録エリア（ＣＥ）、図４（ｃ）に示す、少なくとも建築完成年月以降のカレンダー（ＣＬ）、及び、図４（ｄ）に示す、築年月日数表示指示スイッチ（ＳＷ）の表示要否フラグ（Ｆ１）が備えられている。又、親機１には、親機１のメモリ１２に、図５に示す、築年月日数表示指示スイッチ（ＳＷ）の表示要否フラグ（Ｆ２）が備えられている。
【００５５】
上記の建築完成年月日記録エリア（ＫＥ）は、住宅１０の建築完成年月日を記録するエリアである。築年月日数記録エリア（ＣＥ）は、演算により求められる住宅１０の築年月日数を、この築年月日数を構成する各築年数、端数の築月数、及び、端数の築日数別に記録するエリアである。
【００５６】
カレンダー（ＣＬ）は、建築完成年月以降のカレンダーである。このカレンダー（ＣＬ）には、図４（ｃ）に示すように、各日毎に、ポインタエリアが備えられており、毎日、当該本日の日を示すカレンダーの頭の位置（図４（ｃ）におけるＰ）に、ポインタ（図４（ｃ）における●）が記録される。そして、その日が経過すると、このポインタは１日後に移動されて、新たな日を示す。
【００５７】
築年月日数表示指示スイッチ（ＳＷ）の表示要否フラグ（Ｆ１）、及び、築年月日数表示指示スイッチ（ＳＷ）の表示要否フラグ（Ｆ２）は、共に、築年月日数表示指示スイッチ（ＳＷ）を表示部１３に表示する必要があるか否かを示すフラグである。これは、上述したように、家誕生日、又は、家建築同一日には、自動的に築年数、或いは、築年月数が表示されることから、家誕生日、又は、家建築同一日以外の日に、築年月日数表示指示スイッチ（ＳＷ）の表示が行われるようにするためである。
【００５８】
上記の住宅情報表示Ａシステムでは、システムの運用開始に際して、センター３の入力部３５から、当該運用開始日の年月日及び時刻の情報を入力することにより、カレンダー及び時計の初期設定を行うと共に、建築完成年月日を入力して建築完成年月日記録エリア（ＫＥ）に記録することにより、住宅情報表示Ａシステムの初期設定を行う。
【００５９】
次に、住宅情報表示Ａシステムの処理動作について説明する。図６〜図１６は、この住宅情報表示Ａシステムの処理動作を示したフローチャートである。この内、図６〜図９は、センター３における処理動作に関するフローチャートであり、図１０〜図１６は、親機１における処理動作に関するフローチャートである。尚、図６〜図１６に示すフローチャートにおいて、点線で示されるＣ１〜Ｃ６は、情報の送受信の関係を示している。
【００６０】
まず、図６〜図９のフローチャートに基づいて、センター３における処理動作を説明する。センター３では、図６のフローチャートにおいて、最初に、センター３のメモリ３３に備えられているカレンダー（ＣＬ）のポインタが示す年月日を取得する（Ｓ１）。次に、Ｓ１で取得した年月日（第１情報）を、親機１へ送信する（Ｓ２）。
【００６１】
次に、Ｓ１で取得した年月日と、建築完成年月日記録エリア（ＫＥ）に記録されている建築完成年月日とにより、築年月日数を演算して、築年月日数記録エリア（ＣＥ）へ記録する（Ｓ３）。
【００６２】
次に、Ｓ１で取得した年月日の月日と、建築完成年月日記録エリア（ＫＥ）に記録されている建築完成年月日の月日とを比較して一致するか否かをチェックし（Ｓ４）、一致すると（Ｓ５）、当該本日が家誕生日であるので、後述するＳ１９へ進む。一致しないと（Ｓ５）、次に、Ｓ６へ進む。
【００６３】
Ｓ６では、Ｓ１で取得した年月日の日と、建築完成年月日記録エリア（ＫＥ）に記録されている建築完成年月日の日とを比較して一致するか否かをチェックし、一致すると（Ｓ７）、当該本日が家建築同一日であるので、後述するＳ２０へ進む。一致しないと（Ｓ７）、当該本日は家誕生日でも家建築同一日でもないので、次に、親機１の表示部１３へ築年月日数表示指示スイッチ（ＳＷ）を表示するべく、Ｓ８へ進む。
【００６４】
Ｓ８では、築年月日数表示指示スイッチ（ＳＷ）の表示要否フラグＦ１＝１とすると共に、築年月日数表示指示スイッチ（ＳＷ）の表示指令（第４情報）を、親機１へ送信して（Ｓ９）、Ｓ１０へ進む。
【００６５】
Ｓ１０では、図７に示すフローチャートにおいて、親機１からの築年月日数送信要求の受信の有無をチェックする。この築年月日数送信要求は、後述するように、親機１で表示部１３に表示される築年月日数表示指示スイッチ（ＳＷ）がＯＮされると、親機１からセンター３へ送信される。
【００６６】
Ｓ１０における親機１からの築年月日数送信要求の受信の有無のチェックで、親機１からの築年月日数送信要求の受信が有ると（Ｓ１１）、次に、築年月日数記録エリア（ＣＥ）に記録されている築年月日数（第５情報）を、親機１へ送信する（Ｓ１２）。
【００６７】
すると、親機１では、後述するように、親機１の表示部１３へ築年月日数が表示されるので、表示部１３における築年月日数表示指示スイッチ（ＳＷ）の表示は、不要となる。そこで、次に、築年月日数表示指示スイッチ（ＳＷ）の表示要否フラグＦ１＝０として（Ｓ１３）、Ｓ１４へ進む。
【００６８】
Ｓ１４では、図８に示すフローチャートにおいて、センター３におけるＣＰＵ３１の時計機能から取得される現在の時刻が、０時０分０秒であるか否かをチェックし、０時０分０秒であると（Ｓ１５）、当該本日が経過して、翌日に至る。そこで、センター３のメモリ３３に備えられているカレンダー（ＣＬ）のポインタを、現在の位置から１日後へ移動して（Ｓ１６）、Ｓ１へ戻り、最初から上述した処理動作を繰返す。
【００６９】
Ｓ１４における現在の時刻が０時０分０秒であるか否かのチェックで、０時０分０秒でないと（Ｓ１５）、まだ当該本日が経過していないので、次に、築年月日数表示指示スイッチ（ＳＷ）の表示要否フラグ（Ｆ１）をチェックし（Ｓ１７）、Ｆ１＝１でなければ（Ｓ１８）、Ｓ１４へ戻って、Ｓ１４以降の処理を繰返す。
【００７０】
Ｓ１７における築年月日数表示指示スイッチ（ＳＷ）の表示要否フラグ（Ｆ１）のチェックで、Ｆ１＝１であると（Ｓ１８）、親機１の表示部１３には、まだ築年月日数表示指示スイッチ（ＳＷ）が表示されている状態なので、親機１からの築年月日数送信要求の受信の有無のチェックのため、上述したＳ１０へ戻って、Ｓ１０以降の処理を繰返す。
【００７１】
上記の図７に示すフローチャートにおけるＳ４において、Ｓ１で取得した年月日の月日と、建築完成年月日記録エリア（ＫＥ）に記録されている建築完成年月日の月日とを比較して一致するか否かのチェックで、一致すると（Ｓ５）、当該本日が家誕生日であるので、Ｓ１９へ進む。
【００７２】
Ｓ１９では、図９に示すフローチャートにおいて、「本日は、家誕生日です」、及び、築年月日数記録エリア（ＣＥ）に記録されている築年数（第２情報）を、親機１へ送信する。そうすると、当該本日は、もう、親機１の表示部１３における築年月日数表示指示スイッチ（ＳＷ）の表示は、不要であるので、次に、築年月日数表示指示スイッチ（ＳＷ）の表示要否フラグＦ１＝０として（Ｓ２１）、上述したＳ１４へ進む。
【００７３】
上記の図７に示すフローチャートにおけるＳ６において、Ｓ１で取得した年月日の日と、建築完成年月日記録エリア（ＫＥ）に記録されている建築完成年月日の日とを比較して一致するか否かのチェックで、一致すると（Ｓ７）、当該本日が家建築同一日であるので、Ｓ２０へ進む。
【００７４】
Ｓ２０では、図９に示すフローチャートにおいて、「本日は、家建築同一日です」、及び、築年月日数記録エリア（ＣＥ）に記録されている築年月数（第３情報）を、親機１へ送信する。そうすると、当該本日は、もう、親機１の表示部１３における築年月日数表示指示スイッチ（ＳＷ）の表示は、不要であるので、次に、築年月日数表示指示スイッチ（ＳＷ）の表示要否フラグＦ１＝０として（Ｓ２１）、上述したＳ１４へ進む。
【００７５】
次に、図１０〜図１６のフローチャートに基づいて、親機１における処理動作を説明する。親機１では、図１０のフローチャートにおいて、最初に、初期リセット処理として、築年月日数表示指示スイッチ（ＳＷ）の表示要否フラグＦ２＝０とする（Ｓ５１）。そして、次に、センター３からの情報の受信の有無をチェックする（Ｓ５２）。受信がなければ（Ｓ５３）、後述する築年月日数表示指示スイッチ（ＳＷ）関連処理の後述するＳ７１へ進む。
【００７６】
Ｓ５２におけるセンター３からの情報の受信の有無のチェックで、受信があると（Ｓ５３）、次に、この受信の内容をチェックする（Ｓ５４）。即ち、この受信の内容が、上述した第１情報〜第５情報のいずれであるかチェックする（Ｓ５５〜Ｓ５９）。
【００７７】
Ｓ５４における受信の内容をチェックで、受信の内容が第１情報であると（Ｓ５５）、即ち、カレンダー（ＣＬ）のポインタが示す年月日であると、次に、図１１のフローチャートにおいて、親機１の表示部１３の表示をクリアすると共に（Ｓ６０）、本日を表す情報である受信した年月日を、親機１の表示部１３へ表示する（Ｓ６１）。そして、次に、後述するＳ７１へ進む。図１７は、この場合の親機１の表示部１３における表示の例を示したものである。
【００７８】
Ｓ５４における受信の内容をチェックで、受信の内容が第２情報であると（Ｓ５６）、即ち、「本日は、家誕生日です」、及び、築年数であると、次に、図１２のフローチャートにおいて、受信した「本日は、家誕生日です」、及び、築年数を、親機１の表示部１３へ表示する（Ｓ６２）。図１８は、この場合の親機１の表示部１３における表示の例を示したものである。
【００７９】
この場合には、築年月日数をさらに表示させる意味はないので、表示部１３における築年月日数表示指示スイッチ（ＳＷ）の表示は、不要である。そこで、次に、築年月日数表示指示スイッチ（ＳＷ）の表示要否フラグＦ２＝０として（Ｓ６３）、後述するＳ７１へ進む。
【００８０】
Ｓ５４における受信の内容をチェックで、受信の内容が第３情報であると（Ｓ５７）、即ち、「本日は、家建築同一日です」、及び、築年月数であると、次に、図１３のフローチャートにおいて、受信した「本日は、家建築同一日です」、及び、築年月数を、親機１の表示部１３へ表示する（Ｓ６４）。図１９は、この場合の親機１の表示部１３における表示の例を示したものである。
【００８１】
この場合には、上記の家誕生日の場合と同様、築年月日数をさらに表示させる意味はないので、表示部１３における築年月日数表示指示スイッチ（ＳＷ）の表示は、不要である。そこで、次に、築年月日数表示指示スイッチ（ＳＷ）の表示要否フラグＦ２＝０として（Ｓ６５）、後述するＳ７１へ進む。
【００８２】
Ｓ５４における受信の内容をチェックで、受信の内容が第４情報であると（Ｓ５８）、即ち、築年月日数表示指示スイッチ（ＳＷ）の表示指令であると、次に、図１４のフローチャートにおいて、築年月日数表示指示スイッチ（ＳＷ）を親機１の表示部１３へ表示する（Ｓ６６）。図２０は、この場合の親機１の表示部１３における表示の例を示したものである。
【００８３】
この場合は、築年月日数を別に表示させるために、表示部１３における築年月日数表示指示スイッチ（ＳＷ）の表示をこのまま継続する必要がある。そこで、次に、築年月日数表示指示スイッチ（ＳＷ）の表示要否フラグＦ２＝１として（Ｓ６７）、後述するＳ７１へ進む。
【００８４】
Ｓ５４における受信の内容をチェックで、受信の内容が第５情報であると（Ｓ５９）、即ち、築年月日数であると、築年月日数表示指示スイッチ（ＳＷ）がＯＮされた結果、築年月日数を受信したので、表示部１３における築年月日数表示指示スイッチ（ＳＷ）の表示は、不要である。
【００８５】
そこで、次に、図１５のフローチャートにおいて、親機１の表示部１３における築年月日数表示指示スイッチ（ＳＷ）の表示を消去すると共に（Ｓ６８）、受信した築年月日数を親機１の表示部１３へ表示する（Ｓ６９）。図２１は、この場合の親機１の表示部１３における表示の例を示したものである。
【００８６】
この場合には、既に築年月日数が表示されているので、さらに同じ築年月日数を表示させる必要はないので、表示部１３における築年月日数表示指示スイッチ（ＳＷ）の表示は、不要である。そこで、次に、築年月日数表示指示スイッチ（ＳＷ）の表示要否フラグＦ２＝０として（Ｓ７０）、後述するＳ７１へ進む。
【００８７】
Ｓ７１では、図１６のフローチャートにおいて、築年月日数表示指示スイッチ（ＳＷ）の表示要否フラグ（Ｆ２）をチェックし、築年月日数表示指示スイッチ（ＳＷ）の表示要否フラグＦ２＝１ではないと（Ｓ７２）、即ち、Ｆ２＝０であると、親機１の表示部１３に築年月日数表示指示スイッチ（ＳＷ）は表示されていない。そこで、築年月日数表示指示スイッチ（ＳＷ）に関連する処理は必要ないので、図１０のフローチャートにおけるＳ５２へ戻って、Ｓ５２以降の処理を繰返す。
【００８８】
Ｓ７１における年月日数表示指示スイッチ（ＳＷ）の表示要否フラグ（Ｆ２）のチェックで、築年月日数表示指示スイッチ（ＳＷ）の表示要否フラグＦ２＝１であると（Ｓ７２）、親機１の表示部１３に築年月日数表示指示スイッチ（ＳＷ）は表示されている。そこで、次に、この築年月日数表示指示スイッチ（ＳＷ）がＯＮされたか否かの、築年月日数表示指示スイッチ（ＳＷ）のＯＮの有無のチェックを行う（Ｓ７３）。
【００８９】
Ｓ７３における築年月日数表示指示スイッチ（ＳＷ）のＯＮの有無のチェックで、ＯＮされていると（Ｓ７４）、築年月日数を表示する必要がある。そこで、次に、築年月日数送信要求をセンター３に送信して（Ｓ７５）、図１０のフローチャートにおけるＳ５２へ戻って、Ｓ５２以降の処理を繰返す。
【００９０】
Ｓ７３における築年月日数表示指示スイッチ（ＳＷ）のＯＮの有無のチェックで、ＯＮされていないと（Ｓ７４）、築年月日数送信要求をセンター３に送信する必要はないので、図１０のフローチャートにおけるＳ５２へ戻って、Ｓ５２以降の処理を繰返す。
【００９１】
次に、住宅情報表示Ｂシステムについて説明する。この住宅情報表示Ｂシステムは、親機１のみを用いるシステムである。そこで、この住宅情報表示Ｂシステムを実現するために、親機１には、親機１のメモリ１２に、上述した住宅情報表示Ａシステムにおけるセンター３と同様に、図４（ａ）に示す、建築完成年月日記録エリア（ＫＥ）、図４（ｂ）に示す、築年月日数記録エリア（ＣＥ）、及び、図４（ｃ）に示す、少なくとも建築完成年月以降のカレンダー（ＣＬ）が備えられている。これらの機能は、上述した住宅情報表示Ｂシステムにおけるのと全く同じである。
【００９２】
又、上述した住宅情報表示Ａシステムにおける築年月日数表示指示スイッチ（ＳＷ）の表示要否フラグ（Ｆ２）に代えて、図示されていない築年月日数表示指示スイッチ（ＳＷ）の表示要否フラグ（Ｆ３）が、親機１のメモリ１２に備えられている。この築年月日数表示指示スイッチ（ＳＷ）の表示要否フラグ（Ｆ３）の機能は、上述した住宅情報表示Ｂシステムにおける築年月日数表示指示スイッチ（ＳＷ）の表示要否フラグ（Ｆ２）と全く同じである。
【００９３】
上記の住宅情報表示Ｂシステムでは、システムの運用開始に際して、親機１の表示部１３に、タッチパネルに対する数字入力用のテンキーが表示される。このテンキーにより、当該運用開始日の年月日及び時刻の情報を入力することにより、カレンダー及び時計の初期設定を行うと共に、建築完成年月日を入力して建築完成年月日記録エリア（ＫＥ）に記録することにより、住宅情報表示Ｂシステムの初期設定を行う。
【００９４】
次に、住宅情報表示Ｂシステムの処理動作について説明する。図２２〜図２５は、この住宅情報表示Ｂシステムの処理動作を示したフローチャートである。まず、図２２のフローチャートにおいて、親機１では、最初に、親機１の表示部１３の表示をクリアする（Ｓ１０１）。
【００９５】
そして、次に、親機１のメモリ１２に備えられているカレンダー（ＣＬ）のポインタが示す年月日を取得する（Ｓ１０２）。次に、Ｓ１０２で取得した年月日を、親機１の表示部１３へ表示する（Ｓ１０３）。図１７は、この場合の親機１の表示部１３における表示の例を示したものである。
【００９６】
次に、Ｓ１０２で取得した年月日と、建築完成年月日記録エリア（ＫＥ）に記録されている建築完成年月日とにより、築年月日数を演算して、築年月日数記録エリア（ＣＥ）へ記録する（Ｓ１０４）。
【００９７】
次に、Ｓ１０２で取得した年月日の月日と、建築完成年月日記録エリア（ＫＥ）に記録されている建築完成年月日の月日とを比較して一致するか否かをチェックし（Ｓ１０５）、一致すると（Ｓ１０６）、当該本日が家誕生日であるので、後述するＳ１２１へ進む。一致しないと（Ｓ１０６）、次に、Ｓ１０７へ進む。
【００９８】
Ｓ１０７では、Ｓ１０２で取得した年月日の日と、建築完成年月日記録エリア（ＫＥ）に記録されている建築完成年月日の日とを比較して一致するか否かをチェックし、一致すると（Ｓ１０８）、当該本日が家建築同一日であるので、後述するＳ１２２へ進む。一致しないと（Ｓ１０８）、当該本日は家誕生日でも家建築同一日でもないので、次に、親機１の表示部１３へ築年月日数表示指示スイッチ（ＳＷ）を表示するべく、Ｓ１０９へ進む。
【００９９】
Ｓ１０９では、築年月日数表示指示スイッチ（ＳＷ）の表示要否フラグＦ３＝１とすると共に、築年月日数表示指示スイッチ（ＳＷ）を、親機１の表示部１３へ表示する（Ｓ１１０）。図２０は、この場合の親機１の表示部１３における表示の例を示したものである。この築年月日数表示指示スイッチ（ＳＷ）が、親機１の表示部１３へ表示されると、次に、Ｓ１１１へ進む。
【０１００】
Ｓ１１１では、図２３のフローチャートにおいて、親機１の表示部１３に表示されている築年月日数表示指示スイッチ（ＳＷ）のＯＮの有無をチェックする。この築年月日数表示指示スイッチ（ＳＷ）のＯＮは、親機１のタッチパネル１４の築年月日数表示指示スイッチ（ＳＷ）該当部分に触れることにより、ＯＮされる。
【０１０１】
Ｓ１１１における築年月日数表示指示スイッチ（ＳＷ）のＯＮの有無のチェックで、築年月日数表示指示スイッチ（ＳＷ）がＯＮさていると（Ｓ１１２）、次に、築年月日数記録エリア（ＣＥ）に記録されている築年月日数を、親機１の表示部１３に表示する（Ｓ１１３）。図２１は、この場合の親機１の表示部１３における表示の例を示したものである。
【０１０２】
この場合には、築年月日数が既に表示されたのであるから、さらに同じ築年月日数を表示させる必要はないので、親機１の表示部１３における築年月日数表示指示スイッチ（ＳＷ）の表示を消去すると共に（Ｓ１１４）、築年月日数表示指示スイッチ（ＳＷ）の表示要否フラグＦ３＝０として（Ｓ１１５）、Ｓ１１６へ進む。
【０１０３】
Ｓ１１６では、図２４のフローチャートにおいて、親機１におけるＣＰＵ１１の時計機能から取得される現在の時刻が、０時０分０秒であるか否かをチェックし、０時０分０秒であると（Ｓ１１７）、当該本日が経過して、翌日に至る。そこで、親機１のメモリ１２に備えられているカレンダー（ＣＬ）のポインタを、現在の位置から１日後へ移動して（Ｓ１１８）、Ｓ１０１へ戻り、最初から上述した処理動作を繰返す。
【０１０４】
Ｓ１１６における現在の時刻が０時０分０秒であるか否かのチェックで、０時０分０秒でないと（Ｓ１１７）、まだ当該本日が経過していないので、次に、築年月日数表示指示スイッチ（ＳＷ）の表示要否フラグ（Ｆ３）をチェックし（Ｓ１１９）、Ｆ３＝１でなければ（Ｓ１２０）、Ｓ１１６へ戻って、Ｓ１１６以降の処理を繰返す。
【０１０５】
Ｓ１１９における築年月日数表示指示スイッチ（ＳＷ）の表示要否フラグ（Ｆ３）のチェックで、Ｆ３＝１であると（Ｓ１２０）、親機１の表示部１３には、まだ築年月日数表示指示スイッチ（ＳＷ）が表示されている状態なので、親機１の表示部１３に表示されている築年月日数表示指示スイッチ（ＳＷ）のＯＮの有無をチェックのため、上述したＳ１１１へ戻って、Ｓ１１１以降の処理を繰返す。
【０１０６】
上記の図２２に示すフローチャートにおけるＳ１０５において、Ｓ１０２で取得した年月日の月日と、建築完成年月日記録エリア（ＫＥ）に記録されている建築完成年月日の月日とを比較して一致するか否かのチェックで、一致すると（Ｓ１０６）、当該本日が家誕生日であるので、Ｓ１２１へ進む。
【０１０７】
Ｓ１２１では、図２５に示すフローチャートにおいて、「本日は、家誕生日です」、及び、築年月日数記録エリア（ＣＥ）に記録されている築年数を、親機１の表示部１３へ表示する。図１８は、この場合の親機１の表示部１３における表示の例を示したものである。
【０１０８】
この場合には、さらに、築年月日数を別に表示させる意味はないので、親機１の表示部１３における築年月日数表示指示スイッチ（ＳＷ）の表示は、不要である。そこで、次に、築年月日数表示指示スイッチ（ＳＷ）の表示要否フラグＦ３＝０として（Ｓ１２３）、上述したＳ１１６へ進む。
【０１０９】
上記の図２２に示すフローチャートにおけるＳ１０７において、Ｓ１０２で取得した年月日の日と、建築完成年月日記録エリア（ＫＥ）に記録されている建築完成年月日の日とを比較して一致するか否かのチェックで、一致すると（Ｓ１０８）、当該本日が家建築同一日であるので、Ｓ１２２へ進む。
【０１１０】
Ｓ１２２では、図２５に示すフローチャートにおいて、「本日は、家建築同一日です」、及び、築年月日数記録エリア（ＣＥ）に記録されている築年月数を、親機１の表示部１３へ表示する。図１９は、この場合の親機１の表示部１３における表示の例を示したものである。
【０１１１】
この場合には、さらに、築年月日数を別に表示させる意味はないので、親機１の表示部１３における築年月日数表示指示スイッチ（ＳＷ）の表示は、不要である。そこで、次に、築年月日数表示指示スイッチ（ＳＷ）の表示要否フラグＦ３＝０として（Ｓ１２３）、上述したＳ１１６へ進む。
【０１１２】
上記の住宅情報表示システムによれば、家誕生日の当日には、家誕生日であることを表す情報が、築年数と共に、親機１の表示画面に表示される。そのため、家誕生日に、家誕生日であることを容易に知ることができる。或いは、毎月、家誕生日と同一日の当日には、家建築同一日であることを表す情報が、築年月数と共に、親機１の表示画面に表示される。そのため、毎月、家誕生日と同一日には、家建築同一日であることを容易に知ることができる。
【０１１３】
従って、戸建住宅の居住者が、容易に、且つ、継続して、当該住宅に対する関心を維持することができると共に、居住者の当該住宅に対するこの関心を媒介として、住宅メーカーの当該住宅に対するかかわりを維持することができる。
【０１１４】
又、上記の住宅情報表示システムは、戸建住宅に設置が不可欠なインターホンとして使用されるものでもあることから、インターホンのハードウエアやソフトウエアを共用して利用することが可能であり、設置スペースやコスト面から、有利な住宅情報表示システムを構築することができる。
【０１１５】
又、上記の住宅情報表示システムは、親機１が、築年月日数の表示を指示するための築年月日数表示指示スイッチ（ＳＷ）を、親機１の表示部１３のタッチパネル１４に備えているので、この築年月日数表示指示スイッチ（ＳＷ）により築年月日数の表示が指示されると、親機１の表示部１３に、演算された築年月日数が表示される。
【０１１６】
そのため、築年月日数表示指示スイッチ（ＳＷ）をＯＮすることで、当該日における築年月日数を、容易に知ることができる。従って、戸建住宅の居住者が、容易に、且つ、継続して、当該住宅に対する関心を維持管理することができると共に、居住者の当該住宅に対するこの関心を媒介として、住宅メーカーの当該住宅に対するかかわりを維持することができる。
【０１１７】
上記の住宅情報表示システムでは、センター３のメモリ３３、又は、親機１のメモリ１２に、少なくとも建築完成年月以降のカレンダー（ＣＬ）が備えられる。しかし、カレンダー（ＣＬ）は、所定の法則に基づいて、マイクロプロセッサーにより自動作成できることが知られている。そこで、上記の住宅情報表示システムにおいても、当該システムに必要なカレンダー（ＣＬ）を、上記の所定の法則に基づいて、マイクロプロセッサーにより自動作成するようにしてもよい。
【０１１８】
又、上記の住宅情報表示システムでは、親機１の表示部１３には、家誕生日当日には、「本日は、家誕生日です」、及び、築年数を別々に表示しているが、これらを一体化して、「本日は、（築年数）年の家誕生日です」と表示するようにしてもよい。
【０１１９】
又、上記の住宅情報表示システムでは、表示は、家誕生日と築年数、或いは、家建築同一日と築年月数のみの表示であるが、具体的な家誕生日の年月日を、同時に表示するようにしてもよい。例えば、図１８、図１９、及び、図２１の画面図において、カッコ内は、この具体的な家誕生日の年月日を表示した例を示したものである。
【０１２０】
又、これらの表示のほか、関連する他の表示を、同時に行うようにしてもよい。例えば、修理やリフォームのためのチェック事項等や、これらの案内等を同時に表示する等である。これらの情報は、インターネット経由で送信することができるので、最新の情報を、低コストで提供することができる。又、家建築同一日の場合も、上記の家誕生日の場合と同様にして、対処するようにしてもよい。
【０１２１】
又、上記の住宅情報表示システムでは、家誕生日表示機能のほか、家建築同一日表示機能が備えられているが、この家建築同一日表示機能は、省略するようにしてもよい。
【０１２２】
又、上記の住宅情報表示システムでは、家誕生日に対しては、毎年同じ情報を表示するようにしてもよく、或いは、建築完成後５年目や建築完成後１０年目等の節目の年には、通常の表示よりも、例えば、表現内容や表示する文字の色や大きさ等が目立つような、特別の情報を表示するようにしてもよい。
【０１２３】
又、上記の住宅情報表示システムでは、家誕生日の当日に対してのみ、家誕生日であることの表示を行っているが、家誕生日の当日の手前の数日前から、例えば、「あと○○日で家誕生日です。」や、「満＊＊歳まであと○○日です」等のように、いわゆるカウントダウンを示す表示を行うようにしてもよい。
【０１２４】
又、上記の住宅情報表示システムにおいて、表示の内容として、月単位のカレンダーを表示する機能を備えるようにすると共に、このカレンダーに、家誕生日が含まれる場合は、当該日に、家誕生日であることを表示するようにしてもよい。
【０１２５】
又、上記の住宅情報表示システムでは、住宅１０に設置される装置としては、親機１と玄関子機２とで構成されるインターホンの、親機１の機能と兼用する装置を用いてシステムを構成しているが、インターホン機能を外して構成することもできる。
【０１２６】
この場合に、住宅１０に設置される装置の機能（具体的には上記の親機１の機能から、インターホンの機能を外した残りの機能）を、パソコンやテレビ、或いは、携帯電話等に組込むと共に、住宅１０に設置される装置として、これらを用いるシステムを構成するようにすることもできる。
【０１２７】
又、上記の住宅情報表示システムにおいて、住宅１０に設置される装置に、上記で説明した家誕生日に関する情報が表示される際に、住宅１０に設置される装置に対して、センター３から、Ｅメールで、修理やリフォームのための情報を送信するようにしてもよい。
【０１２８】
又、上記の住宅情報表示システムにおいて、親機１の表示部１３に代えて、表示に用いる装置として、ディスプレイを備えたパソコンやテレビに接続できるようにして、これらのパソコンやテレビに表示するようにしてもよい。
【図面の簡単な説明】
【０１２９】
【図１】本実施の形態における住宅情報表示システムの構成を示したブロック図である。
【図２】本実施の形態における住宅情報表示システムの親機の構成を示したブロック図である。
【図３】本実施の形態における住宅情報表示システムのセンターの構成を示したブロック図である。
【図４】（ａ）〜（ｄ）は、本実施の形態における住宅情報表示システムに用いられる情報を示した説明図（その１）である。
【図５】本実施の形態における住宅情報表示システムに用いられる情報を示した説明図（その２）である。
【図６】本実施の形態における住宅情報表示Ａシステムのセンターの処理動作を示したフローチャート（その１）である。
【図７】本実施の形態における住宅情報表示Ａシステムのセンターの処理動作を示したフローチャート（その２）である。
【図８】本実施の形態における住宅情報表示Ａシステムのセンターの処理動作を示したフローチャート（その３）である。
【図９】本実施の形態における住宅情報表示Ａシステムのセンターの処理動作を示したフローチャート（その４）である。
【図１０】本実施の形態における住宅情報表示Ａシステムの親機の処理動作を示したフローチャート（その１）である。
【図１１】本実施の形態における住宅情報表示Ａシステムの親機の処理動作を示したフローチャート（その２）である。
【図１２】本実施の形態における住宅情報表示Ａシステムの親機の処理動作を示したフローチャート（その３）である。
【図１３】本実施の形態における住宅情報表示Ａシステムの親機の処理動作を示したフローチャート（その４）である。
【図１４】本実施の形態における住宅情報表示Ａシステムの親機の処理動作を示したフローチャート（その５）である。
【図１５】本実施の形態における住宅情報表示Ａシステムの親機の処理動作を示したフローチャート（その６）である。
【図１６】本実施の形態における住宅情報表示Ａシステムの親機の処理動作を示したフローチャート（その７）である。
【図１７】本実施の形態における住宅情報表示システムの親機の表示部における表示の例を示した画面図（その１）である。
【図１８】本実施の形態における住宅情報表示システムの親機の表示部における表示の例を示した画面図（その２）である。
【図１９】本実施の形態における住宅情報表示システムの親機の表示部における表示の例を示した画面図（その３）である。
【図２０】本実施の形態における住宅情報表示システムの親機の表示部における表示の例を示した画面図（その４）である。
【図２１】本実施の形態における住宅情報表示システムの親機の表示部における表示の例を示した画面図（その５）である。
【図２２】本実施の形態における住宅情報表示Ｂシステムの親機の処理動作を示したフローチャート（その１）である。
【図２３】本実施の形態における住宅情報表示Ｂシステムの親機の処理動作を示したフローチャート（その２）である。
【図２４】本実施の形態における住宅情報表示Ｂシステムの親機の処理動作を示したフローチャート（その３）である。
【図２５】本実施の形態における住宅情報表示Ｂシステムの親機の処理動作を示したフローチャート（その４）である。
【符号の説明】
【０１３０】
１  親機
２  玄関子機
３  センター
４  インターネット
１０  住宅
１１  ＣＰＵ
１２  メモリ
１３  表示部
１４  タッチパネル
１５  送受話部
１６  内部Ｉ／Ｆ
１７  外部Ｉ／Ｆ
１８  内部バスライン
３１  ＣＰＵ
３２  ＨＤＤ
３３  メモリ
３４  表示部
３５  入力部
３６  外部Ｉ／Ｆ
３７  内部バスライン
【図１】
2010033219.tif 000003
【図２】
2010033219.tif 000004
【図３】
2010033219.tif 000005
【図４】
2010033219.tif 000006
【図５】
2010033219.tif 000007
【図６】
2010033219.tif 000008
【図７】
2010033219.tif 000009
【図８】
2010033219.tif 000010
【図９】
2010033219.tif 000011
【図１０】
2010033219.tif 000012
【図１１】
2010033219.tif 000013
【図１２】
2010033219.tif 000014
【図１３】
2010033219.tif 000015
【図１４】
2010033219.tif 000016
【図１５】
2010033219.tif 000017
【図１６】
2010033219.tif 000018
【図１７】
2010033219.tif 000019
【図１８】
2010033219.tif 000020
【図１９】
2010033219.tif 000021
【図２０】
2010033219.tif 000022
【図２１】
2010033219.tif 000023
【図２２】
2010033219.tif 000024
【図２３】
2010033219.tif 000025
【図２４】
2010033219.tif 000026
【図２５】
2010033219.tif 000027